(57)【特許請求の範囲】
【請求項１】
圧縮機本体に設けたガラスターミナルを囲むように固定され、かつ一辺に係止孔を有するブラケットと、
電装品を覆い、かつ内壁面に、前記ブラケットの係止孔に係止するテーパ状の爪部を形成した電装品カバーと、
前記ブラケットの側面裏まで延長された掛止を有したコード押さえ部と、
を備え、
前記電装品カバーはその外周面に、一体成型されたコードクランプ本体が設けてあり、
前記コードクランプ本体には前記コード押さえ部が固定されていて当該コード押さえ部が前記コードクランプ本体に電源コードを固定しており、
かつ、前記コード押さえ部の前記掛止が、前記ブラケットの側面裏に係止されている圧縮機の電装品保護装置。
【請求項２】
前記コード押さえ部は、Ｔ字状に形成された請求項１に記載の圧縮機の電装品保護装置。
【請求項３】
前記コードクランプ本体は、前記電装品カバーの側面に設けられた請求項１または２に記載の圧縮機の電装品保護装置。
【請求項４】
前記コードクランプ本体は、前記電源コードを挿入するための少なくとも一つ以上のＵ字状の切り欠き部が設けられた、コの字状のガイド部を有する請求項１から３のいずれか一項に記載の圧縮機の電装品保護装置。
【請求項５】
前記電装品カバーの側面に、前記電源コードを収納するリブを設けた請求項１から４のいずれか一項に記載の圧縮機の電装品保護装置。
【請求項６】
請求項１から請求項５のいずれか一項に記載の圧縮機の電装品保護装置を備えた冷凍冷蔵装置。
【発明の詳細な説明】
【技術分野】
【０００１】
本発明は、冷凍冷蔵装置等に使用される圧縮機の電装品保護装置に関するものである。
【背景技術】
【０００２】
従来、この種の電装品保護装置は、別体のコードクランプ装置を取り付けたものがある（例えば特許文献１参照）。また、電装品カバーと一体にコードクランプ装置を構成したものがある。
【０００３】
以下、図面を参照しながら上記従来の電装品保護装置を説明する。
【０００４】
図６は、特許文献１に記載された従来の電装品保護装置の分解斜視図、図７は、同電装品保護装置の取り付け状態の拡大側面図である。
【０００５】
図６および図７において、電動要素（図示せず）を収容した圧縮機本体１には、電動要素に電気を供給するためのガラスターミナル５が取り付けられている。そして、冷間圧延鋼板や熱間圧延鋼板などの鉄板の折曲成形によって形成されたブラケット２が、ガラスターミナル５を囲むように圧縮機本体１の外表面に固着されている。
【０００６】
電装品７は、始動リレー７ａとモータプロテクタ７ｂとから構成されており、始動リレー７ａは、電動要素への過電流供給による焼損を防止するために、電動要素への通電を制御する目的で用いられ、またモータプロテクタ７ｂは、電動要素の異常温度上昇時に、電動要素を停止制御するため通電を遮断して圧縮機が破損するのを防止する目的で用いられている。
【０００７】
ブラケット２は対向する左右２辺に係止孔２ａを有している。ガラスターミナル５に電装品７が装着された後、電装品７を覆う電装品カバー３が装着される。この電装品カバー３は、合成樹脂材料によって射出成型されている。電装品カバー３において、ブラケット２に設けた係止孔２ａに対応する位置の内壁面には、係止孔２ａに係合するテーパ状の爪部３ａを形成している。
【０００８】
また電装品７に電気を供給するための電源コード４を、電装品カバー３とブラケット２の間から外側へ引き出すためのコードクランプ本体８ａと、これと別体のコード押さえ部８ｂと樹脂製のクランプねじ８ｃから構成されるコードクランプ部８が、電装品カバー３の下側に固設されている。コードクランプ部８は、電装品７から電源コード４が外れないように電源コード４を固定している。
【０００９】
以上のように構成された電装品保護装置について、以下その動作を説明する。
【００１０】
ガラスターミナル５に電装品７が装着され、その後、コードクランプ本体８ａがブラケット２に固定される。電装品７に繋がれた電源コード４は、別体のコード押さえ部８ｂに内蔵されるクランプねじ８ｃによって締め付けられ、固定される。そして電装品７を覆うための電装品カバー３が、コードクランプ部８の上面部を滑るように平行移動しながらブラケット２へ外側から覆い被さるように挿入される。
【００１１】
この時に、電装品カバー３の内壁に設けたテーパ状の爪部３ａが、係止孔２ａを設けたブラケット２の左右２辺に当たると、電装品カバー３のテーパ状の爪部３ａが設けられている左右２つの壁面が、ブラケット２の左右２辺に対して外側へ歪み、テーパ状の爪部３
ａがブラケット２の係止孔２ａに係止される。これと同時に、電装品カバー３がコードクランプ部８に固定されることで、電装品カバー３はワンタッチでブラケット２及びコードクランプ部８に装着される。
【００１２】
以上のように、ガラスターミナル５及び電装品７を外部からの衝撃より保護し、水などの浸入を防止するために、ワンタッチ挿入の作業で、電装品カバー３をブラケット２とコードクランプ部８に装着させることができるとともに、多様な径の電源コード４が外れないように固定することが出来る。
【先行技術文献】
【特許文献】
【００１３】
【特許文献１】特開２００５−３０７７９７号公報
【発明の概要】
【発明が解決しようとする課題】
【００１４】
しかしながら、上記従来の構成では、コードクランプ本体を別部品としているため、部品点数も多く、電装品保護装置の設置に必要なスペースが大きくなり、小型の圧縮機への取り付けが困難であった。
【００１５】
本発明は、上記従来の課題を解決するもので、電装品カバーが外れにくく、かつ取り付け作業性が向上するとともに、電源コードを確実に固定することができ、生産性が高く信頼性の高い電装品保護装置を提供することを目的とする。
【課題を解決するための手段】
【００１６】
上記従来の課題を解決するために、本発明の圧縮機の電装品保護装置は、圧縮機本体に設けたガラスターミナルを囲むように固定され、かつ一辺に係止孔を有するブラケットと、電装品を覆い、かつ内壁面に、前記ブラケットの係止孔に係止するテーパ状の爪部を形成した電装品カバーと、前記ブラケットの側面裏まで延長された掛止を有したコード押さえ部と、を備え、前記電装品カバーはその外周面に、一体成型されたコードクランプ本体が設けてあり、前記コードクランプ本体には前記コード押さえ部が固定されていて当該コード押さえ部が前記コードクランプ本体に電源コードを固定しており、かつ、前記コード押さえ部の前記掛止が、前記ブラケットの側面裏に係止されているものである。
【００１７】
かかることにより、前記電装品カバーは、係止孔と爪部とが係止し、コード押さえ部は、ブラケット側裏面に係止めすることができる。その結果、部品点数を少なくし、省スペースでコードクランプ装置を構成できる。また、ワンタッチで電装品カバーをブラケットに挿入でき、電源コードを確実に固定することができるので、生産性が高く、信頼性の高い電装品保護装置を提供することができる。
【発明の効果】
【００１８】
本発明の圧縮機の電装品保護装置は、コードクランプ装置が省スペースで構成でき、取り付け作業性が向上するとともに、電源コードを確実に固定することができる。その結果、生産性が高く信頼性の高い電装品保護装置を提供することができる。
【図面の簡単な説明】
【００１９】
【図１】本発明の実施の形態１における電装品保護装置の分解斜視図
【図２】同実施の形態１における電装品保護装置の取り付け状態を示す拡大側面図
【図３】同実施の形態１における電装品保護装置の取り付け状態を示す平面図
【図４】同実施の形態１における電装品保護装置の電装品カバーの背面斜視図
【図５】同実施の形態１における電装品保護装置のコード押さえ部の拡大図
【図６】従来例を示す電装品保護装置の分解斜視図
【図７】従来例を示す電装品保護装置のコードクランプ部の拡大図
【発明を実施するための形態】
【００２０】
請求項１に記載の発明は、圧縮機本体に設けたガラスターミナルを囲むように固定され、かつ一辺に係止孔を有するブラケットと、電装品を覆い、かつ内壁面に、前記ブラケットの係止孔に係止するテーパ状の爪部を形成した電装品カバーと、前記ブラケットの側面裏まで延長された掛止を有したコード押さえ部と、を備え、前記電装品カバーはその外周面に、一体成型されたコードクランプ本体が設けてあり、前記コードクランプ本体には前記コード押さえ部が固定されていて当該コード押さえ部が前記コードクランプ本体に電源コードを固定しており、かつ、前記コード押さえ部の前記掛止が、前記ブラケットの側面裏に係止されているものである。
【００２１】
かかることにより、電源コードが強く引っ張られた場合においても、コード押さえ部がブラケット側裏面に固定されていることから、電装品カバーに強い力が加わることがなく、部品点数を少なくし、省スペースで生産性が高く、信頼性の高い電装品保護装置を提供することができる。
請求項２に記載の発明は、請求項１に記載の発明において、前記コード押さえ部は、Ｔ字状に形成されたものである。
請求項３に記載の発明は、請求項１または２に記載の発明において、前記コードクランプ本体は、前記電装品カバーの側面に設けられたものである。
請求項４に記載の発明は、請求項１から３のいずれか一項に記載の発明において、前記コードクランプ本体は、前記電源コードを挿入するための少なくとも一つ以上のＵ字状の切り欠き部が設けられた、コの字状のガイド部を有するものである。
請求項５に記載の発明は、請求項１から４のいずれか一項に記載の発明において、前記電装品カバーの側面に、前記電源コードを収納するリブを設けたものである。
請求項６に記載の発明は、請求項１から請求項５のいずれか一項に記載の発明の圧縮機の
電装品保護装置を備えた冷凍冷蔵装置である。
【００２２】
以下、本発明の実施の形態について、図面を参照しながら説明する。なお、この実施の形態によってこの発明が限定されるものではない。
【００２３】
（実施の形態１）
図１は、本発明の実施の形態１における電装品保護装置の分解斜視図、図２は、同実施の形態１における電装品保護装置の取り付け状態を示す拡大側面図、図３は、同実施の形態１における電装品保護装置の取り付け状態を示す平面図、図４は、同実施の形態１における電装品保護装置の電装品カバーの背面斜視図、図５は、同実施の形態１におけるコード押さえ部の拡大図である。
【００２４】
図１から図５において、電動要素（図示せず）を収容した圧縮機本体１００には、電動要素に電気を供給するためのガラスターミナル１０５が取り付けられている。そして、冷間圧延鋼板や熱間圧延鋼板などの鉄板の折曲成形によって形成されたブラケット１０２が、ガラスターミナル１０５を囲むように、圧縮機本体１００の外表面に固着されている。
【００２５】
電装品１０７は、クラスター１０７ｃとモータプロテクタ１０７ｂとから構成されており、クラスター１０７ｃは、電動要素へ通電する目的で用いられ、またモータプロテクタ１０７ｂは、電動要素の異常温度上昇時に、電動要素を停止制御するように、通電を遮断して圧縮機が破損するのを防止する目的で用いられている。
【００２６】
ブラケット１０２は、上側に挿入部１１２が折曲形成され、下側にはガラスターミナル１０５を挟んで対向する位置に係止部１２２（図示なし）が折曲形成される。係止部１２２には、プレスの打ち抜きにより加工された係止孔１０２ａを設けている。
【００２７】
ガラスターミナル１０５に電装品１０７が装着された後、電装品１０７を覆う電装品カバー１０３が装着される。この電装品カバー１０３はポリプロピレンやポリカーボネート等の合成樹脂材料により射出成形されたもので、内壁面上部におけるブラケット１０２の挿入部１１２に対応する位置に、略Ｕ字形状をなす一対の挟持部１１３を設けている。電装品カバー１０３の内壁面下部において、ブラケット１０２の係止孔１０２ａに対応する位置には、係止孔１０２ａに係止するテーパ状の爪部１２３を形成している。
【００２８】
電装品カバー１０３の側面には、コの字状のガイド部１３３が設けられ、ガイド部１３３には、電源コード１０４を挿入するための少なくとも一つ以上のＵ字状の切り欠き部１４３が設けられている。切り欠き部１４３の間には、固定孔付きボス部１４４が設けられ、コードクランプ本体１０８ａを構成している。
【００２９】
電装品カバー１０３の側面には、図４に示すように、電装品１０７に電気を供給するための電源コード１０４を、電装品カバー１０３とブラケット１０２の間から外側へ引き出すための出口部１５３が少なくとも一つ以上形成されている。また、同じ側面に、出口部１５３から切り欠き部１４３までに電源コード１０４を所定の位置に収納する複数個のリブ１４５が設けられている。したがって、出口部１５３から引き出された電源コード１０４は、リブ１４５の間に収納されるとともに、切り欠き部１４３間に収納される。
【００３０】
そして、Ｔ字状に形成された別体のコード押さえ部１０８ｂをガイド部１３３に合致させ、切り欠き部１４３間に設けられた孔付きボス部１４４に、取付けネジ１０８ｄをねじ止めし、電源コード１０４を締め付け、押圧することで電源コード１０４を固定する。またコード押さえ部１０８ｂには、ブラケット１０２の側面裏１０２ｂまで延長した掛止１０８ｃが設けられている。
【００３１】
以上のように構成された電装品保護装置について、以下その動作、作用を説明する。
【００３２】
まず、ガラスターミナル１０５にクラスター１０７ｃを挿入固定し、電装品カバー１０３に、モータプロテクタ１０７ｂを挿入した後、電装品カバー１０３を、ブラケット１０２に挿入する。
【００３３】
この際、電装品カバー１０３に設けた略Ｕ字形状の複数の挟持部１１３が、ブラケット１０２に設けた挿入部１１２を各々挟み込む。その状態でさらに電装品カバー１０３の水平移動を継続し、挿入すると、ブラケット１０２の係止部１２２に、電装品カバー１０３のテーパ状の爪部１２３が当たる。さらに挿入を続けると、電装品カバー１０３のテーパ状の爪部１２３を設けている壁面が、係止部１２２に対して外側へ歪み、さらに挿入することで、挟持部１１３が挿入部１１２を挟み込み、テーパ状の爪部１２３がブラケット１０２の係止孔１０２ａに係止される。
【００３４】
以上の動作により、電装品カバー１０３のブラケット１０２への取り付けが完了する。
【００３５】
次に、電源コード１０４の固定方法について説明する。
【００３６】
電装品カバー１０３に設けられた出口部１５３から、電装品１０７に電気を供給するために接続された電源コード１０４が引き出される。
【００３７】
引き出された電源コード１０４は、電装品カバー１０３に設けられたリブ１４５間に収納され、電源コード１０４のたるみを覆い、コードクランプ本体１０８ａに内蔵されるＵ字状の切り欠き部１４３に通される。
【００３８】
電源コード１０４を固定するためのコード押さえ部１０８ｂは、電装品カバー１０３に設けられたガイド部１３３に挟まれる形で挿入され、電源コード１０４を押さえるように仮置きされる。
【００３９】
そして、コード押さえ部１０８ｂを、電装品カバー１０３の固定孔付きボス部１４４に取付けネジ１０８ｄによって固定することにより、電源コード１０４の固定が行われる。必要に応じて、取付けネジ１０８ｄの長さを長く設定し、取付けネジ１０８ｄが、ブラケット１０２に設けられたネジ孔１０２ｃに螺合する構成とすることにより、電装品カバー１０３の固定をより強固に行うことができる。
【００４０】
また、コード押さえ部１０８ｂの固定に伴い、これと同時に、コード押さえ部１０８ｂの掛止１０８ｃが、ブラケット１０２の側面裏１０２ｂに係止される。
【００４１】
この際、コードクランプ本体１０８ａに内蔵されるＵ字状の切り欠き部１４３とコード押さえ部１０８ｂの間の空間が、電源コード１０４の線径より小さくなるまで取付けネジ１０８ｄを締め付けることで、電源コード１０４はより強固に固定される。
【００４２】
また、電源コード１０４は、コードクランプ本体１０８ａに内蔵されるリブ１０８ｅと、コード押さえ部１０８ｂに内蔵されるリブ１０８ｆとの間で挟持されることで、さらに確実に固定される。
【００４３】
したがって、電装品カバー１０３は、ワンタッチでブラケット１０２に挿入装着されると同時に、電源コード１０４は、電装品カバー１０３に設置されたコードクランプ部１０８によって確実に固定され、装着作業が完了する。
【００４４】
電源コード１０４は、冷蔵庫などの組立工程の際に強く引っ張られ、電装品カバー１０３に強い力が加わることで、電装品カバー１０３のテーパ状の爪部１２３とブラケット１０２の係止孔１０２ａの間の係止力が弱くなるが、本実施の形態１においては、コード押さえ部１０８ｂから延長された掛止１０８ｃにより、電源コード１０４が強く引っ張られた際にも電装品カバー１０３に強い力が加わらないため、電装品カバー１０３の外れることがなく、信頼性の高い電装品保護装置を提供することができる。
【００４５】
また、電装品カバー１０３のブラケット１０２への固定が、ワンタッチでおこなえるため、作業性をよくすることができる。
【００４６】
さらに、電源コード１０４は、リブ１４５間に収まるため、電装品カバー１０３に設けられた出口部１５３からＵ字状の切り欠き部１４３間の電源コード１０４のたるみが覆われた状態となる。したがって、冷蔵庫などの組立工程において不用意に引っ張られることがなく、電装品１０７に力が加わらず、電装品保護装置の信頼性を確保することができる。
【００４７】
また、電装品カバー１０３にコードクランプ部１０８を内蔵するため、小型の圧縮機への取付けの際にも省スペースで取付けることができ、作業性がよい。
【００４８】
さらに、コード押さえ部１０８ｂを取付けネジ１０８ｄによって締め付ける際に、コード押さえ部１０８ｂは、取付けネジ１０８ｄの回転方向に回転しようとするが、電装品カバー１０３のガイド部１３３があることによって回転が規制される。したがって、確実に電源コード１０４を固定することができる。
【産業上の利用可能性】
【００４９】
以上のように、本発明にかかる圧縮機の電装品保護装置は、電装品カバーが外れにくく、かつ取付け作業性が向上するとともに、電源コードを確実に固定することができ、生産性が高く、信頼性の高い電装品保護装置を提供できるので、冷蔵庫、エアーコンディショナー、冷凍冷蔵装置等のあらゆる圧縮機の電装品保護装置に適用できる。
【符号の説明】
【００５０】
１００  圧縮機本体
１０２  ブラケット
１０２ａ  係止孔
１０２ｂ  側裏面
１０３  電装品カバー
１０４  電源コード
１０５  ガラスターミナル
１０７  電装品
１０８ａ  コードクランプ本体
１０８ｂ  コード押さえ部
１２３  爪部
１４５  リブ
１５３  出口部
【図１】
0005957679.tif 000002
【図２】
0005957679.tif 000003
【図３】
0005957679.tif 000004
【図４】
0005957679.tif 000005
【図５】
0005957679.tif 000006
【図６】
0005957679.tif 000007
【図７】
0005957679.tif 000008